(57)【要約】  本発明は、車両に搭載され、ＧＰＳ受信信号に対応する車両の航法情報を出力するナビゲーション装置に関するものである。  本発明によると、車両の航法情報の表出のためのディスプレイ部と、予め設定された目的地の経路に対して現在の車両位置を演算して車両の回転方向の指示信号を事前に出力する制御部と、を備えた本体を有するナビゲーション装置において、上記本体に左右の区分ができるように設けられ、上記制御部より出力される回転方向の指示信号に対応して選択的に発光する一対の発光部材;を含むことを特徴とするナビゲーション装置が提供される。  本発明は、航法情報による方向転換表示の識別力を高めることによって車両運行の際の便宜を提供し、安全運転を図ることができる。
2007523354.tif 000002
【特許請求の範囲】
【請求項１】
車両に搭載され、ＧＰＳ受信信号に対応する車両の航法情報の表出のためのディスプレイ部と、予め設定された目的地の経路に対して現在の車両位置を演算して車両の回転方向の指示信号を事前に出力する制御部と、を備えた本体を有するナビゲーション装置において、
上記本体に左右の区分ができるように設けられ、上記制御部より出力される回転方向の指示信号に対応して選択的に発光する一対の発光部材;を含むことを特徴とするナビゲーション装置。
【請求項２】
上記発光部材が本体の両側面部にそれぞれ外装されたことを特徴とする請求項１に記載のナビゲーション装置。
【請求項３】
上記発光部材が本体の前面部に、内蔵型、部分内蔵型及び外装型のうち選択された何れか一つの類型で備えられたことを特徴とする請求項１に記載のナビゲーション装置。
【請求項４】
上記本体の側方に選択的にスライディングされながら引き出しされる携帯電話の安着のための据え置き面を備えた据置部材;及び
上記据置部材の一側に備えられ据え置きされた携帯電話を固定させる固定部材;をさらに含む請求項１ないし請求項３のうち何れか一項に記載のナビゲーション装置。
【請求項５】
後面に金属部材を備えた携帯電話を固定するように上記固定部材がマグネットからなることを特徴とする請求項４に記載のナビゲーション装置。
【発明の詳細な説明】
【発明の詳細な説明】
【０００１】
〔技術分野〕
本発明は、車両の航法情報を提供するナビゲーション装置に関するものであって、より詳しくは、ＧＰＳ受信信号によって装置内で発生する回転方向の指示情報に対する識別力を高めることによって、車両運行の際の便宜と安全を図ることができるナビゲーション装置に関する。
【０００２】
〔背景技術〕
一般に、車両に搭載されるナビゲーション装置は、ＧＰＳ衛星より該当車両の位置、速度などを含む航法情報を受信し所定のディスプレイ部に表示するように構成される端末装置であって、初めて行く道や複雑な道路構造などにおける運行の補助手段として非常に有用に使われている。
【０００３】
また、最近のナビゲーション装置には、航法情報の表示以外にも周辺の交通状況の表示機能や、使用者が予め設定した目的地の経路に従って方向転換を案内する機能など、多様な付加機能が備えられて車両運行上の便宜を図っている。
【０００４】
このようなナビゲーションにおいて、特に方向転換の案内機能は、設定された目的地への走行中、左折あるいは右折をしなければならない場合、ディスプレイ部上に表出されるマップの該当地点を事前に表示する方法により行われる。しかし、このような動作方式によると、マップ上の微小な領域に対して表示が行われるため左折と右折の表示が容易に区分できないのが実情であり、これを把握するためにディスプレイ部を注視しすぎると安全事故も発生し得る。
【０００５】
代案として、車両に対する方向転換の案内を音声で出力する製品も出始めているが、このような方式は方向転換を事前案内する音声が一回のみ出力される場合には、実際に方向転換をしなければならない時点で音声出力の内容を忘れてしまう恐れがあり、その一方で反復的に音声が出力される場合には騷音公害となる脆弱点がある。
【０００６】
〔発明の詳細な説明〕
〔発明が解決しようとする技術的課題〕
本発明は、上記のような問題点を解決するために創案されたものであって、ディスプレイ部とは別途で本体上の二つの領域に表示手段を対称形成して回転方向の指示情報を表出することによって転換する方向の識別力を高めることができるナビゲーション装置を提供することにその目的がある。
【０００７】
本発明の他の目的は、本体に対して便利に携帯電話を据え置きできるように据置部材を備えたナビゲーション装置を提供することにある。
【０００８】
〔発明の構成〕
上記のような目的を果たすために本発明は、車両に搭載され、ＧＰＳ受信信号に対応する車両の航法情報の表出のためのディスプレイ部と、予め設定された目的地の経路に対して現在の車両位置を演算して車両の回転方向の指示信号を事前に出力する制御部と、を備えた本体を有するナビゲーション装置において、上記本体に左右の区分ができるように設けられ、上記制御部より出力される回転方向の指示信号に対応して選択的に発光する一対の発光部材;を含むことを特徴とする。
【０００９】
上記発光部材は、本体の両側面部にそれぞれ外装されることができる。
【００１０】
代案として、上記発光部材は、本体の前面部に、内蔵型、部分内蔵型及び外装型のうち選択された何れか一つの類型で備えられる。
【００１１】
付加的に、本発明には、上記本体の側方に選択的にスライディングされながら引き出しされる、携帯電話の安着のための据え置き面を備えた据置部材;及び上記据置部材の一側に備えられて据え置きされた携帯電話を固定させる固定部材;がさらに含まれることができる。
【００１２】
上記固定部材は、その後面に金属部材を備えた携帯電話を固定するようにマグネットからなることが望ましい。
【００１３】
〔図面の簡単な説明〕
本明細書に添付される以下の図面は本発明の望ましい実施例を例示するものであり、上述した発明の詳細な説明とともに本発明の技術思想をさらに理解させる役割を果たすものであるため、本発明はこのような図面に記載された事項にのみ限定されて解釈されてはいけない。
【００１４】
図１は、本発明の一実施例によるナビゲーション装置の構成を示す正面図である。
【００１５】
図２は、本発明によるナビゲーション装置の機能的構成例を示す回路図である。
【００１６】
図３は、本発明の他の実施例によるナビゲーション装置の構成を示す正面図である。
【００１７】
図４は、本発明によるナビゲーション装置の使用例を見せる図面である。
【００１８】
〔発明の実施のための最良の形態〕
以下、添付された図面を参照しながら本発明の望ましい実施例を詳しく説明する。
【００１９】
図１は、本発明の一実施例によるナビゲーション装置の構成を示す斜視図である。
【００２０】
図１を参照すれば、本発明は、ディスプレイ部１１及び制御部１４を備えた本体１０と、上記本体１０の外部に左右の区分ができるように形成される一対の発光部材Ｌ、Ｒと、を含む。
【００２１】
上記本体１０の前面にはマップデータとともにＧＰＳ受信信号に対応する車両の航法情報の表出のためのディスプレイ部１１が備えられる。このようなディスプレイ部１１としては、液晶表示装置（ＬＣＤ）を初め多様な均等物が採用可能である。ここで、上記ディスプレイ部１１に表出されるマップデータは本体１０の一側の所定スロット（図示せず）に挿入されるコンパクトフラッシュ（登録商標）（ＣＦ）カードに貯蔵され得る。また、ＧＰＳ信号の受信のために上記本体１０の一側には通常のＧＰＳアンテナ１２が備えられる。
【００２２】
上記本体１０には内部制御部１４により選択的に動作する一対の発光部材Ｌ、Ｒが左右の区分ができるように設けられる。望ましくは、上記発光部材Ｌ、Ｒは、本体１０の両側面部にそれぞれ一つずつ外装されて左折指示用と右折指示用の機能を行うことになる。代案として、上記発光部材Ｌ、Ｒは、本体１０の前面部に、内蔵型、部分内蔵型及び外装型のうち選択された何れか一つの類型で備えられる。ここで、内蔵型は、発光部材Ｌ、Ｒの発光部の表面が上記本体１０の前面部と同一の平面上に位置することを意味し、部分内蔵型は、発光部材Ｌ、Ｒの胴体の一部分が上記本体１０の前面部内に引き込まれた状態でその発光部の表面が前面部の外部に突出した類型を意味する。
【００２３】
上記発光部材Ｌ、Ｒとしては、電力消耗が少なく多様なカラーの発光が可能なＬＥＤ（Ｌｉｇｈｔ Ｅｍｉｔｔｉｎｇ Ｄｉｏｄｅ）が単一あるいはアレイ形態で構成されることが望ましいが、本発明はこれに限定されずその他に多様な公知の発光素子が使用できることは勿論である。
【００２４】
図２には、航法情報により上記発光部材Ｌ、Ｒを選択的に駆動するための本発明の機能的構成が概略的に示されている。図面に示したように、本発明には、ＧＰＳ信号処理部１５より現在の航法情報を入力され、これに基づいて一対の発光部材Ｌ、Ｒを選択的にオン（Ｏｎ）／オフ（Ｏｆｆ）させる制御部１４が備えられる。具体的に、制御部１４は、通常のナビゲーションに内蔵される制御モジュールと同じく、使用者により予め設定された目的地の経路に対して現在位置を比較演算することによって左折をすべきか、あるいは右折をすべきかを予め判断する方向転換判断要素と、上記方向転換判断要素の演算結果に対応する方向指示用駆動信号を出力する方向指示制御要素を備える。
【００２５】
上記制御部１４は、演算した結果、車両が一定時間（あるいは距離）後左折をしなければならない場合にはＴＲ１及びＴＲ２に駆動信号を印加して左折指示用発光部材Ｌをオンあるいは周期的に点滅させ、逆に右折をしなければならない場合にはＴＲ３及びＴＲ４に駆動信号を印加して右折指示用発光部材Ｒをオンあるいは周期的に点滅させることによって該当方向を指示することになる。付加的に、上記制御部１４は、Ｕターン、高架車路、地下道、監視カメラの位置などに対応して特定パターンで上記一対の発光部材Ｌ、Ｒを駆動するように構成することもできる。
【００２６】
上記発光部材Ｌ、ＲとしてＬＥＤが採用される場合、上記発光部材Ｌ、Ｒは所定の実質的な円筒形フレーム１３に結合される円形の発光パターンを有するＬＥＤアレイに形成することができ、図３に示したように、バー（Ｂａｒ）形態の発光パターンを有するＬＥＤアレイに形成することもできる。ここで、発光部材Ｌ、Ｒの構造はこのような実施例に限定されず、その他に多様な変形例があり得ることは勿論である。
【００２７】
望ましくは、上記本体１０の後面あるいは後面に隣接した側面には本体１０の側方に選択的に引き出しされる板状の据置部材１６がスライディング可能に設けられ得る。上記据置部材１６は携帯電話１を据え置きするためのものであって、携帯電話１の安着のための据え置き面が備えられ、上記据え置き面の一側には固定部材１７が備えられて携帯電話１を堅固に固定させる。ここで、上記固定部材１７は、望ましくは、マグネット（Ｍａｇｎｅｔ）からなることによってその後面に金属部材２や他のマグネットを備えたタイプの携帯電話１をコンパクトな構造で据え置きさせることができる。
【００２８】
その他に上記本体１０には、ディスプレイされる画面のサイズを調節するための調節ボタンや、マイク、スピーカー、音量調節用ボリュームボタンなどの音声入出力手段をさらに備えて多様な付加機能を提供することができる。このような構成は通常のナビゲーション装置にも備えられるものであるためその詳細な説明は省略する。
【００２９】
図４には、本発明によるナビゲーション装置の使用例が示されている。図面に示したように、本発明のナビゲーション装置は、望ましくは、その後面に所定の締結部材１８が備えられ、上記締結部材１８に結合された状態で車両内の一側に固定される所定長さの装着具１９が備えられて便利に車両内に装着することができる。
【００３０】
本発明において、本体１０の両側にはそれぞれ発光部材Ｌ、Ｒが一つずつ設けられて左折指示用と右折指示用として使用される。従って、制御部１４で設定された目的地の経路と現在の車両位置を相互演算した結果、一定時間（あるいは距離）後右折をしなければならない場合には右折指示用発光部材Ｒにのみ選択的に駆動信号を印加することにより発光させる。このとき、発光部材Ｌ、Ｒの発光パターンはオン状態を維持するパターンは勿論、一定周期で点滅するパターンとなるように構成することができ、その発光カラーも多様な実施例があり得る。
【００３１】
また、本発明には、携帯電話用据置部材１６が備えられて便利にナビゲーション装置の本体１０の一側に携帯電話１を据え置きさせることができる。即ち、本体１０の側方に板状の据置部材１６を引き出した状態で、望ましくはマグネットからなる固定部材１７に対応する部分に特定タイプの携帯電話１の後面に備えられた金属部材２を接触させれば、磁力によって据置部材１６の据え置き面に携帯電話１を堅固に安着させることができる。
【００３２】
以上、本発明の望ましい実施例を添付された図面を参照しながら説明した。ここで、本明細書及び請求範囲に用いられた用語や単語は通常的や辞書的な意味に限定して解釈されてはいけず、本発明の技術的思想に符合する意味と概念とに解釈されるべきである。従って、本明細書に記載された実施例と図面とに示された構成は本発明の最も望ましい一実施例に過ぎず、本発明の技術的思想を全て代弁するものではないため、本出願時点においてこれらに代替できる多様な均等物と変形例とがあり得ることを理解すべきである。
【００３３】
〔産業上の利用可能性〕
本発明によると、ナビゲーション装置の本体に別途の方向指示ランプが備えられ航法情報により選択的に駆動されるため、方向転換の時点を便利でしかも正確に認識することができ、それによって車両運行の際の便宜と安全を図ることができる。
【００３４】
また、本発明によると、ナビゲーション装置の本体より選択的に据置部材を引き出すことによって携帯電話を安着させることができるため、日常的な携帯電話の使用時の便宜は勿論であり、ひいては航法装置と携帯電話を便利に連結して多様な付加機能を具現できる利点もある。
【００３５】
また、本発明によると、方向転換の案内のための最小限の音声出力と共に多様なカラーや発光パターンにより方向表示ができる利点がある。
【図面の簡単な説明】
【００３６】
【図１】本発明の一実施例によるナビゲーション装置の構成を示す正面図である。
【図２】本発明によるナビゲーション装置の機能的構成例を示す回路図である。
【図３】本発明の他の実施例によるナビゲーション装置の構成を示す正面図である。
【図４】本発明によるナビゲーション装置の使用例を見せる図面である。
【図１】
2007523354.tif 000003
【図２】
2007523354.tif 000004
【図３】
2007523354.tif 000005
【図４】
2007523354.tif 000006
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
車両に搭載され、ＧＰＳ受信信号に対応する車両の航法情報の表出のためのディスプレイ部と、予め設定された目的地の経路に対して現在の車両位置を演算して車両の回転方向の指示信号を事前に出力する制御部と、を備えた本体を有するナビゲーション装置において、
上記本体の両側面部にそれぞれ左右の区分ができるように外装され、上記制御部より出力される回転方向の指示信号に対応して選択的に発光する一対の発光部材;を含むことを特徴とするナビゲーション装置。
【請求項２】
上記本体の側方に選択的にスライディングされながら引き出しされる携帯電話の安着のための据え置き面を備えた据置部材;及び
上記据置部材の一側に備えられ据え置きされた携帯電話を固定させる固定部材;をさらに含む請求項１に記載のナビゲーション装置。
【請求項３】
後面に金属部材を備えた携帯電話を固定するように上記固定部材がマグネットからなることを特徴とする請求項２に記載のナビゲーション装置。
【国際調査報告】
2007523354.tif 000007
2007523354.tif 000008